(57)【特許請求の範囲】
【請求項１】
放送局でコマーシャルを送出するためのコマーシャル送出システムにおいて、
コマーシャル素材を収録および格納するコマーシャル素材収録格納手段と、
上記コマーシャル素材収録格納手段に格納すべき上記コマーシャル素材の収録情報が記された収録リストを記憶する収録リスト記憶手段と、
上記コマーシャル素材収録格納手段から送出する上記コマーシャル素材の、送出情報が記された送出リストを記憶する送出リスト記憶手段と、
上記コマーシャル素材収録格納手段へ格納された上記コマーシャル素材の格納情報からなるコマーシャル素材データベースと、
上記送出リスト記憶手段に記憶された上記送出リストと上記コマーシャル素材データベースに格納された格納情報とを比較し、上記送出リストに含まれ上記格納情報に含まれない未収録コマーシャル素材を検出する検出手段と、
上記検出手段で上記未収録コマーシャル素材を検出したとき、上記コマーシャル素材収録格納手段に格納すべき上記未収録コマーシャル素材の収録情報が記された上記収録リストを自動的に作成する収録リスト作成手段と
を備えることを特徴とするコマーシャル送出システム。
【請求項２】
請求項１に記載のコマーシャル送出システムにおいて、
上記収録リスト作成手段は、上記検出手段で上記未収録コマーシャル素材を検出したとき、上記コマーシャル素材収録格納手段に格納すべき上記未収録コマーシャル素材の収録情報を上記収録リスト記憶手段に記憶された上記収録リストに付加して自動的に作成することを特徴とするコマーシャル送出システム。
【請求項３】
請求項１に記載のコマーシャル送出システムにおいて、
上記収録リスト記憶手段に記憶された上記収録リストを表示させる収録リスト表示手段と、
上記送出リスト記憶手段に記憶された上記送出リストを表示させる送出リスト表示手段と
をさらに備え、
上記検出手段で上記未収録コマーシャル素材を検出したとき、上記未収録コマーシャル素材があることを示す信号が上記収録リスト表示手段と上記送出リスト表示手段に供給され、上記収録リスト表示手段と上記送出リスト表示手段に上記未収録コマーシャル素材があることを示す情報が表示され、上記収録リスト作成手段で上記収録リストが自動的に作成されることを特徴とするコマーシャル送出システム。
【請求項４】
請求項１に記載のコマーシャル送出システムにおいて、
上位システムに接続されて、該上位システムから伝送された送出リストを受信する送出リスト受信手段をさらに備え、
受信された上記送出リストは上記送出リスト記憶手段に記憶されることを特徴とするコマーシャル送出システム。
【請求項５】
請求項１に記載のコマーシャル送出システムにおいて、
上記コマーシャル素材データベースは、上記コマーシャル素材収録格納手段へ格納された上記コマーシャル素材の格納情報と共に上記収録リストに記された上記コマーシャル素材の収録情報からなることを特徴とするコマーシャル送出システム。
【請求項６】
放送局でコマーシャルを送出するためのコマーシャル送出システムにおいて、
コマーシャル素材を収録および格納するコマーシャル素材収録格納手段と、
上記コマーシャル素材収録格納手段に格納された上記コマーシャル素材の、収録情報が記された収録リストを記憶する収録リスト記憶手段と、
上記コマーシャル素材収録格納手段から送出する上記コマーシャル素材の、送出情報が記された送出リストを記憶する送出リスト記憶手段と、
上記送出リスト記憶手段に記憶された上記送出リストを管理する送出リスト管理手段と、
上記コマーシャル素材収録格納手段に格納された上記コマーシャル素材の格納情報からなるコマーシャル素材データベースと、
上記コマーシャル素材データベースに記憶された上記格納情報を管理するコマーシャル素材データベース管理手段と、
上記送出リスト管理手段から、上記コマーシャル素材収録格納手段に格納された上記コマーシャル素材を参照する命令信号が上記コマーシャル素材データベース管理手段に供給されて、上記送出リストに含まれ上記コマーシャル素材データベースに含まれない未収録コマーシャル素材を上記コマーシャル素材データベース管理手段で検出したとき、上記未収録コマーシャル素材の収録情報が記された上記収録リストを自動的に作成する収録リスト自動作成手段と
を備えることを特徴とするコマーシャル送出システム。
【請求項７】
請求項６に記載のコマーシャル送出システムにおいて、
上記収録リスト自動作成手段は、上記コマーシャル素材データベース管理手段で上記送出リストに含まれ上記コマーシャル素材データベースに含まれない未収録コマーシャル素材を検出したとき、上記コマーシャル素材収録格納手段に格納すべき上記未収録コマーシャル素材の収録情報を上記収録リストに記憶された上記収録リストに付加して自動的に作成することを特徴とするコマーシャル送出システム。
【請求項８】
請求項６に記載のコマーシャル送出システムにおいて、
上記収録リスト自動作成手段は、上記送出リスト管理手段から、上記コマーシャル素材収録格納手段に格納された上記コマーシャル素材を参照する命令信号が上記コマーシャル素材データベース管理手段に入力されて、上記コマーシャル素材データベース管理手段は上記コマーシャル素材データベースを参照して上記送出リストに含まれ上記コマーシャル素材データベースに含まれない未収録コマーシャル素材を検出し、上記コマーシャル素材データベース管理手段で上記未収録コマーシャル素材を検出したとき、上記未収録コマーシャル素材の収録情報が記された上記収録リストを自動的に作成することを特徴とするコマーシャル送出システム。
【請求項９】
請求項６に記載のコマーシャル送出システムにおいて、
上記収録リスト記憶手段に記憶された上記収録リストを表示させる収録リスト表示手段と、
上記送出リスト記憶手段に記憶された上記送出リストを表示させる送出リスト表示手段と
をさらに備え、
上記検出手段で上記未収録コマーシャル素材を検出したとき、上記未収録コマーシャル素材が存在することを示す信号が上記収録リスト表示手段と上記送出リスト表示手段とに供給され、上記収録リスト表示手段と上記送出リスト表示手段に上記未収録コマーシャル素材があることを示す情報が表示され、上記収録リスト作成手段で上記未収録コマーシャル素材の収録情報を含めた上記収録リストを自動的に作成されることを特徴とするコマーシャル送出システム。
【請求項１０】
請求項６に記載のコマーシャル送出システムにおいて、
上記コマーシャル素材データベースは、上記コマーシャル素材収録格納手段へ格納された上記コマーシャル素材の格納情報と共に上記収録リストに記された上記コマーシャル素材の収録情報からなることを特徴とするコマーシャル送出システム。
【請求項１１】
請求項６に記載のコマーシャル送出システムにおいて、
上位システムに接続されて、該上位システムから伝送される送出リストを受信する送出リスト受信手段をさらに備え、
受信した上記送出リストは上記送出リスト管理手段から上記送出リスト記憶手段に記憶されることを特徴とするコマーシャル送出システム。
【請求項１２】
放送局でコマーシャルを送出するためのコマーシャル送出方法において、
コマーシャル素材をコマーシャル素材収録格納手段に収録および格納する第１のステップと、
上記コマーシャル素材収録格納手段に格納すべき上記コマーシャル素材の収録情報が記された収録リストを収録リスト記憶手段に記憶する第２のステップと、
上記コマーシャル素材収録格納手段から送出する上記コマーシャル素材の送出情報が記された送出リストを送出リスト記憶手段に記憶する第３のステップと、
上記コマーシャル素材収録格納手段へ格納された上記コマーシャル素材の、格納情報からなるコマーシャル素材データベースと上記送出リストとを比較し、上記送出リストに含まれ上記格納情報に含まれない未収録コマーシャル素材を検出する第４のステップと、
上記第４のステップで上記未収録コマーシャル素材を検出したとき、上記未収録コマーシャル素材の収録情報が記された上記収録リストを自動的に作成する第５のステップと
を有することを特徴とするコマーシャル送出方法。
【請求項１３】
請求項１２記載のコマーシャル送出方法において、
上記第５のステップは、上記第４のステップで上記未収録コマーシャル素材を検出したとき、上記コマーシャル素材収録格納手段に格納すべき上記未収録コマーシャル素材の収録情報を上記収録リスト記憶手段に記憶された上記収録リストに付加して自動的に作成されることを特徴とするコマーシャル送出方法。
【請求項１４】
請求項１２記載のコマーシャル送出方法において、
上記第５のステップは、上記第４のステップで上記未収録コマーシャル素材を検出したとき、上記未収録コマーシャル素材の収録情報を付加した上記収録リストを表示手段に表示させ、上記未収録コマーシャル素材の収録情報が記された上記収録リストを自動的に作成することを特徴とするコマーシャル送出方法。
【請求項１５】
請求項１２記載のコマーシャル送出方法において、
上記第５のステップは、上記第４のステップで上記未収録コマーシャル素材を検出したとき、上記未収録コマーシャル素材があることを示す信号が供給されて上記未収録コマーシャル素材があることを示す情報を、上記収録リストを表示させる収録リスト表示手段と上記送出リストを表示させる送出リスト表示手段とに表示され、上記未収録コマーシャル素材の収録情報が記された上記収録リストを自動的に作成することを特徴とするコマーシャル送出方法。
【請求項１６】
請求項１２記載のコマーシャル送出方法において、
上記第３のステップは、上位システムに接続されて該上位システムから伝送された、上記コマーシャル素材収録格納手段から送出する上記コマーシャル素材の送出情報が記された送出リストを受信し、受信した上記送出リストは上記送出リスト記憶手段に記憶させることを特徴とするコマーシャル送出方法。
【請求項１７】
請求項１２記載のコマーシャル送出方法において、
上記コマーシャル素材データベースは、上記コマーシャル素材収録格納手段へ格納された上記コマーシャル素材の上記格納情報と共に上記収録リストに記された上記コマーシャル素材の収録情報からなることを特徴とするコマーシャル送出方法。
【請求項１８】
放送局でコマーシャルを送出するためのコマーシャル送出方法において、
コマーシャル素材をコマーシャル素材収録格納手段に収録および格納する第１のステップと、
上記コマーシャル素材収録格納手段に格納された上記コマーシャル素材の収録情報が記された収録リストを収録リスト記憶手段に記憶する第２のステップと、
上記コマーシャル素材収録格納手段から送出する上記コマーシャル素材の、送出情報が記された送出リストを送出リスト記憶手段に記憶する第３のステップと、
上記送出リスト記憶手段に記憶された上記送出リストを管理する送出リスト管理手段から、上記コマーシャル素材収録格納手段に格納された上記コマーシャル素材を参照する命令信号が、上記コマーシャル素材収録格納手段に記憶された上記コマーシャル素材の格納情報からなるコマーシャル素材データベースを管理するコマーシャル素材データベース管理手段に供給されて、上記送出リストに含まれ上記コマーシャル素材データベースに含まれない未収録コマーシャル素材を上記コマーシャル素材データベース管理手段で検出する第４のステップと、
上記第４のステップで上記未収録コマーシャル素材を検出したとき、上記未収録コマーシャル素材の収録情報が記された上記収録リストを自動的に作成する第５のステップと
を有することを特徴とするコマーシャル送出方法。
【請求項１９】
請求項１８に記載のコマーシャル送出方法において、
上記第５のステップは、上記第４のステップで上記未収録コマーシャル素材を検出したとき、上記コマーシャル素材収録格納手段に格納すべき上記未収録コマーシャル素材の収録情報を上記収録リスト記憶手段に記憶された上記収録リストに付加して自動的に作成することを特徴とするコマーシャル送出方法。
【請求項２０】
請求項１８に記載のコマーシャル送出方法において、
上記第４のステップは、上記送出リスト記憶手段に記憶された上記送出リストを管理する送出リスト管理手段から、上記コマーシャル素材収録格納手段に格納された上記コマーシャル素材を参照する命令信号が、上記コマーシャル素材収録格納手段に格納された上記コマーシャル素材の格納情報からなるコマーシャル素材データベースを管理するコマーシャル素材データベース管理手段に供給されて、該コマーシャル素材データベース管理手段は、上記コマーシャル素材データベースに格納された格納情報を参照して上記送出リストに含まれ上記コマーシャル素材データベースに含まれない未収録コマーシャル素材を検出することを特徴とするコマーシャル送出方法。
【請求項２１】
請求項１８記載のコマーシャル送出方法において、
上記第５のステップは、上記第４のステップで上記未収録コマーシャル素材を検出したとき、上記未収録コマーシャル素材の収録情報が記された上記収録リストを表示手段に表示させ、上記未収録コマーシャル素材の収録情報が記された上記収録リストを自動的に作成することを特徴とするコマーシャル送出方法。
【請求項２２】
請求項１８記載のコマーシャル送出方法において、
上記第５のステップは、上記第４のステップで上記未収録コマーシャル素材を検出したとき、上記未収録コマーシャル素材があることを示す信号が供給され、該信号から上記未収録コマーシャル素材があることを示す情報を、上記収録リストを表示させる収録リスト表示手段と上記送出リスト表示手段とに表示され、上記未収録コマーシャル素材の上記収録情報が記された上記収録リストを自動的に作成することを特徴とするコマーシャル送出方法。
【請求項２３】
請求項１８記載のコマーシャル送出方法において、
上記第３のステップは、上位システムに接続されて該上位システムから伝送された、上記コマーシャル素材収録格納手段から送出する上記コマーシャル素材の送出情報が記された送出リストを受信し、受信した該送出リストは上記送出リスト記憶手段に記憶されることを特徴とするコマーシャル送出方法。
【請求項２４】
請求項１８記載のコマーシャル送出方法において、
上記コマーシャル素材データベースは、上記コマーシャル素材収録格納手段に格納された上記コマーシャル素材の上記格納情報と共に上記収録リストに収録された上記コマーシャル素材の収録情報とからなることを特徴とするコマーシャル送出方法。
【発明の詳細な説明】
【０００１】
【発明の属する技術分野】
この発明は、放送局において、コマーシャル放送の際に必要なコマーシャル素材が収録されているかどうかを知るための収録リストが自動的に作成されるような、コマーシャル送出システムおよびコマーシャル送出方法に関する。
【０００２】
【従来の技術】
図８にＶＴＲを用いた送出システムの一例を示し、以下この図８を参照して送出システムについて説明する。
【０００３】
図８に示した送出システムは、例えばＡＰＣ（オート・プログラム・コントローラ）等と称される上位データ管理コンピュータ３１６で作成（あるいは自動作成）された収録リストに基づいてＣＭ素材再生機３０６を再生させる収録側コントローラ３０９、ＣＭ素材再生機３０６によって再生されたＣＭ素材を格納するＣＭ素材格納部３１３、上位データ管理コンピュータ３１６で作成されたプレイリストと称される送出用リストに基づいてＣＭ素材格納部３１３を送出側上位コンピュータ３１１からの命令によって実際にＣＭ素材格納部３１３を制御する送出コントローラ３１２から構成される。
【０００４】
ここで、収録側上位コンピュータ３０７および収録側コントローラ３０９、送出側上位コンピュータ３１１および送出側コントローラ３１２を結ぶ線は、収録側上位コンピュータ３０７から収録側コントローラ３０９に上述した収録リストが伝送される経路を示し、３０８は収録側上位コンピュータ３０７で作成された収録リストが記録されたフレキシブルディスクである。フレキシブルディスク３０８を用いる場合は、収録側コントローラ３０９にフレキシブルディスク３０８に記録された収録リスト情報を読み取る読み取り部（図示せず）が設けられている。また、３１０は、ビデオテープカセットである。
【０００５】
また、このような、コマーシャルを送出するようなコマーシャル送出システムにおいては、システム内に送出に使用する素材を多数収録および／または再生可能なように、ＣＭ素材再生機３０６およびＣＭ素材格納部３１３は例えばＡＶサーバ、あるいはカセットオートチェンジャシステムなどが使用される場合が多い。
【０００６】
さて、収録側上位コンピュータ３０７から直接収録リストが収録側コントローラ３０９に伝送されるか、あるいはフレキシブルディスク３０８で収録リストが収録側コントローラ３０９にロードされると、収録側コントローラ３０９はＣＭ素材再生機３０６にセットされているビデオテープカセット３１０の頭出し等を行ない、この後ＣＭ素材再生機３０６をスタンバイ状態（例えば一時停止状態）にさせる。
【０００７】
そして、収録リストで指定されたコマーシャル素材がセットされたＣＭ素材再生機３０６内のビデオテープカセット３１０にあると、収録作業担当のオペレータ３１４が収録側上位コンピュータ３０７を操作して収録側上位コンピュータ３０７から再生を指示する制御信号が収録側コントローラ３０９に供給され、この制御信号に基づいて収録側コントローラ３０９はＣＭ素材再生機３０６内にセットされたビデオテープカセット３１０を再生してＣＭ素材がＣＭ素材格納部３１３に伝送される。
【０００８】
プレイリストに基づいて送出の時刻の所定時間になると、送出作業担当のオペレータ３１５が送出側上位コンピュータ３１１を操作して、この上位コンピュータ３１１から送出開始を示す制御信号が送出側コントローラ３１２に供給され、これによってＣＭ素材格納部３１３からＣＭ素材がオン・エアされる。
【０００９】
【発明が解決しようとする課題】
ところが、従来のコマーシャル送出システムにおいて、プレイリストで指定されたコマーシャル素材がシステム内に収録されていない場合、プレイリストの該当コマーシャルが指定されているイベントに対し、単にその素材が未収録状態であることを示すステータスを送出側上位コンピュータ３１１に表示するだけであり、送出作業担当のオペレータ３１５にのみそのコマーシャル素材は未収録状態であることが通知されるだけであった。そして、この通知を知った送出作業担当のオペレータ３１５によって、さらに収録作業担当のオペレータ３１４に通知され、該当素材の収録を放送に間に合わせるように早急に行なうことを依頼していた。
【００１０】
したがって、送出作業担当のオペレータ３１５がコマーシャル素材の収録状態の監視もしなくてはならず、本来の送出業務に専念できないという問題点があった。
【００１１】
また、送出作業担当オペレータ３１５が収録作業担当のオペレータ３１４に直接連絡を取る必要があり、連絡忘れや連絡ミスが発生する可能性があるという問題点があった。
【００１２】
さらに、収録作業担当オペレータ３１４は収録依頼を受けると、直接当システムにおいてその素材を収録するための収録リストを作成するか、または、上位システムのデータ管理コンピュータに対してロードするよう手配する必要があった。そのため、収録作業担当オペレータ３１４は、送出作業担当オペレータ３１５からコマーシャル素材未収録の連絡を受けてから、収録リストを手配する必要があり、非常に手間がかかるという問題点があった。
【００１３】
したがって、この発明の目的は、未収録であるコマーシャル素材の収録が容易なコマーシャル送出システムおよびコマーシャル送出方法を提供することにある。
【００１４】
【課題を解決するための手段】
この発明は、上述した課題を解決するために、放送局でコマーシャルを送出するためのコマーシャル送出システムにおいて、コマーシャル素材を収録および格納するコマーシャル素材収録格納手段と、コマーシャル素材収録格納手段に格納すべきコマーシャル素材の収録情報が記された収録リストを記憶する収録リスト記憶手段と、コマーシャル素材収録格納手段から送出するコマーシャル素材の送出情報が記された送出リストを記憶する送出リスト記憶手段と、コマーシャル素材収録格納手段へ格納されたコマーシャル素材の格納情報からなるコマーシャル素材データベースと、送出リスト記憶手段に記憶された送出リストとコマーシャル素材データベースに格納された格納情報とを比較し、送出リストに含まれ格納情報に含まれない未収録コマーシャル素材を検出する検出手段と、検出手段で未収録コマーシャル素材を検出したとき、コマーシャル素材収録格納手段に格納すべき未収録コマーシャル素材の収録情報が記された収録リストを自動的に作成する収録リスト作成手段とを備えることを特徴とするコマーシャル送出システムである。
【００１５】
また、この発明は、上述した課題を解決するために、放送局でコマーシャルを送出するためのコマーシャル送出システムにおいて、コマーシャル素材を収録および格納するコマーシャル素材収録格納手段と、コマーシャル素材収録格納手段に格納されたコマーシャル素材の、収録情報が記された収録リストを記憶する収録リスト記憶手段と、コマーシャル素材収録格納手段から送出するコマーシャル素材の、送出情報が記された送出リストを記憶する送出リスト記憶手段と、送出リスト記憶手段に記憶された送出リストを管理する送出リスト管理手段と、コマーシャル素材収録格納手段に格納されたコマーシャル素材の格納情報からなるコマーシャル素材データベースと、コマーシャル素材データベースに記憶された格納情報を管理するコマーシャル素材データベース管理手段と、送出リスト管理手段から、コマーシャル素材収録格納手段に格納されたコマーシャル素材を参照する命令信号がコマーシャル素材データベース管理手段に供給されて、送出リストに含まれコマーシャル素材データベースに含まれない未収録コマーシャル素材をコマーシャル素材データベース管理手段で検出したとき、未収録コマーシャル素材の収録情報が記された収録リストを自動的に作成する収録リスト自動生成手段とを備えることを特徴とするコマーシャル送出システムである。
【００１６】
また、この発明は、上述した課題を解決するために、放送局でコマーシャルを送出するためのコマーシャル送出方法において、コマーシャル素材をコマーシャル素材収録格納手段に収録および格納する第１のステップと、コマーシャル素材収録格納手段に格納すべきコマーシャル素材の収録情報が記された収録リストを収録リスト記憶手段に記憶する第２のステップと、コマーシャル素材収録格納手段から送出するコマーシャル素材の送出情報が記された送出リストを送出リスト記憶手段に記憶する第３のステップと、コマーシャル素材収録格納手段へ格納されたコマーシャル素材の、格納情報からなるコマーシャル素材データベースと送出リストとを比較し、送出リストに含まれ格納情報に含まれない未収録コマーシャル素材を検出する第４のステップと、第４のステップで未収録コマーシャル素材を検出したとき、未収録コマーシャル素材の収録情報が記された収録リストを自動的に作成する第５のステップとを有することを特徴とするコマーシャル送出方法である。
【００１７】
また、この発明は、上述した課題を解決するために、放送局でコマーシャルを送出するためのコマーシャル送出方法において、コマーシャル素材をコマーシャル素材収録格納手段に収録および格納する第１のステップと、コマーシャル素材収録格納手段に格納されたコマーシャル素材の収録情報が記された収録リストを収録リスト記憶手段に記憶する第２のステップと、コマーシャル素材収録格納手段から送出するコマーシャル素材の、送出情報が記された送出リストを送出リスト記憶手段に記憶する第３のステップと、送出リスト記憶手段に記憶された送出リストを管理する送出リスト管理手段から、コマーシャル素材収録格納手段に格納されたコマーシャル素材を参照する命令信号が、コマーシャル素材収録格納手段に記憶されたコマーシャル素材の格納情報からなるコマーシャル素材データベースを管理するコマーシャル素材データベース管理手段に供給されて、送出リストに含まれコマーシャル素材データベースに含まれない未収録コマーシャル素材をコマーシャル素材データベース管理手段で検出する第４のステップと、第４のステップで未収録コマーシャル素材を検出したとき、未収録コマーシャル素材の収録情報が記された収録リストを自動的に作成する第５のステップとを有することを特徴とするコマーシャル送出方法である。
【００１８】
上述したように、この発明は、送出リストとコマーシャル素材データベースとを比較し、送出リストに含まれコマーシャル素材データベースに含まれない未収録コマーシャル素材が存在した場合、未収録コマーシャル素材を収録するための収録リストを自動的に作成するようにされているために、容易に未収録のコマーシャル素材の収録を行うことができる。
【００１９】
【発明の実施の形態】
以下、この発明の実施の一形態を説明する。この発明は、コマーシャル放送システムにおいて、プレイリストと称されるＣＭ素材送出用のリストで指定されたコマーシャル素材がシステム内に収録されていない場合、収録用の操作ターミナルに素材が未収録であることを表示すると共に、自動的にこのような未収録のコマーシャル素材の収録リストを作成するようにしたものである。
【００２０】
図１は、この発明の実施の一形態におけるコマーシャル放送システムの構成の一例を示す。このシステムは、制御コンピュータシステム１，コマーシャル（以下、ＣＭと称する）素材収録格納装置２，ＣＭ素材再生機３，収録用操作ターミナル４，および送出用操作ターミナル５から構成される。
【００２１】
ＣＭ素材収録格納装置２は、この装置においてＣＭ素材の収録が可能であり、また、この収録されたＣＭ素材を多数格納し、さらに、これら格納された素材の再生を行うことが可能なものである。これには、例えば、大規模なカセットオートチェンジャシステム，ＡＶサーバなどが用いられ、素材の記録媒体としては、ビデオテープ，ＭＯディスク（Magnet Optical disk ），あるいはハードディスクなどが用いられる。このＣＭ素材収録格納装置２は、制御コンピュータシステム１とのコマンドのやり取りによって制御される。
【００２２】
ＣＭ素材再生機３は、外部から持ち込まれたＣＭ素材を再生するためのもので、例えばビデオテープレコーダが用いられる。このＣＭ素材再生機３は、上述のＣＭ素材収録格納装置２と同様、制御コンピュータシステム１とのコマンドのやり取りによって制御される。
【００２３】
また、収録用操作ターミナル４および送出用操作ターミナル５は、キーボードやマウスといった入力デバイスおよびＣＲＴなどによる表示装置を有しており、オペレータによって操作される。このターミナル４，５には、通常のパーソナルコンピュータを用いてもよいし、また、ＣＰＵを持たない、単なる端末装置であってもよい。
【００２４】
制御コンピュータシステム１は、収録制御ブロック１０１，収録リスト管理ブロック１０２，収録リスト作成ブロック１０３，収録リスト受信ブロック１０４，収録リスト記憶ブロック１０５，収録用操作ターミナル制御ブロック１０８，ＣＭ素材データベース管理ブロック１０６，ＣＭデータベース記憶ブロック１０７，送出制御ブロック１０９，プレイリスト管理ブロック１１０，プレイリスト作成ブロック１１１，プレイリスト受信ブロック１１２，プレイリスト記憶ブロック１１３，ホスト制御受信ブロック１１４，および送出用操作ターミナル制御ブロック１１５から構成される。これら個々のブロックは、制御バス１１６を経由してデータの通信や制御コマンドのやり取りを行う。
これらのうち、収録制御ブロック１０１は、ＣＭ素材収録格納装置２およびＣＭ素材再生機３の制御を行うブロックである。
【００２５】
また、図示しないが、この制御コンピュータシステム１は、例えばデータ管理コンピュータといったような、さらに上位のコンピュータシステム、あるいはコンピュータネットワークと接続されてもよい。この場合、これら上位のコンピュータシステムから送られた、例えばＣＭ素材収録格納装置２に対するＰＬＡＹ（再生）といった制御コマンドは、ホスト制御受信ブロック１１４に受信される。そして、このブロック１１４において所定の処理が行われ、この例においては、ＣＭ素材収録格納装置２に対してコマンドが送られる。
【００２６】
収録用操作ターミナル制御ブロック１０８および送出用操作ターミナル制御ブロック１１５は、それぞれ収録用操作ターミナル４および送出用操作ターミナル５の制御を行うブロックである。すなわち、制御コンピュータシステム１からオペレータなどに対するメッセージは、これらブロック１０８，１１５によって所定の処理を施されターミナル４，５に供給され、例えばディスプレイに表示される。また、オペレータなどによりこれらターミナル４，５から入力されたメッセージは、これらブロック１０８，１１５によって所定の処理を施され、制御コンピュータシステム１に取り込まれる。
【００２７】
ブロック１０２〜１０５は、ＣＭ素材をＣＭ素材収録格納装置２に取り込むための作業リストである収録リストに関するブロックである。この収録リストは、図２に示すように、これから収録すべきＣＭ素材の情報が記されるもので、ＣＭ素材の識別のための素材ＩＤ，素材名，素材の長さ，ＣＭのスポンサー名，ＣＭの使用予定期間などの、収録される元素材の情報を表す項目から成る。これらのうち、素材ＩＤは、ＣＭ素材収録格納装置２内に格納されたＣＭ素材毎にユニークなものであり、これにより、格納された多数のＣＭ素材の識別が行われる。
【００２８】
収録リスト作成ブロック１０３において、外部、例えばオペレータの収録用操作ターミナル４の操作によって収録リストが作成される。上述した、より上位のコンピュータシステムなどから送られた収録リストは、収録リスト受信ブロック１０４で受け取られる。また、作成された、あるいは受け取られた収録リストは、収録リスト記憶ブロック１０５に記憶され、収録リスト管理ブロック１０２によって管理される。
【００２９】
ＣＭ素材データベース管理ブロック１０６およびＣＭ素材データベース記憶ブロック１０７は、ＣＭ素材情報に関するデータベースを構成するブロックである。このデータベースには、上述の収録リストに記された元素材の情報を表す項目に加えて、ＣＭ素材のＣＭ素材収録格納装置２への格納情報が記される。
【００３０】
すなわち、このデータベースを構成する項目は、上述の収録リストの項目に加え、素材が収録された記録媒体を識別するための記録媒体ＩＤ，素材の記録媒体上でのアドレス，収録された素材に対してレビューと称される収録内容のチェックが行われた結果の、送出可能であるかどうかを示すフラグ，素材が実際にＣＭ素材収録格納装置２に収録済みであるかどうかを示すフラグなどから成る。
【００３１】
ＣＭ素材データベース管理ブロック１０６によってこのＣＭ素材データベース記憶ブロック１０７を参照することによって、ＣＭ素材収録格納装置２にどんなＣＭ素材が格納されているかどうかを知ることができる。
【００３２】
収録制御ブロック１０１は、上述の収録リストの指示に従ってＣＭ素材の収録の制御を行うブロックである。すなわち、ＣＭ素材再生機３およびＣＭ素材収録格納装置２とこの収録制御ブロック１０１との間で所定のコマンドのやり取りが行われることによって、収録リストに記された内容に基づき、ＣＭ素材再生機３において素材の再生が行われ、またＣＭ素材収録格納装置２においては、このＣＭ素材再生機３で再生された素材の収録が行われる。
【００３３】
また、この収録の際に、上述したＣＭ素材データベースにおける該当する素材において、この素材が実際に収録済みであるかどうかを示すフラグが「収録済み」を表す値とされる。
【００３４】
ブロック１１０〜１１３は、ＣＭ素材の送出を指示するプレイリストに関するブロックである。このプレイリストは、図３に示すように、どのＣＭ素材がいつどのように送出されるかが記されたもので、送出されるＣＭ素材の素材ＩＤ，送出開始時刻，素材名，放送局における番組の単位であるイベント名，ＣＭ素材の長さ，素材が記録されている記録媒体ＩＤ，その記録媒体におけるアドレスなどの、ＣＭ素材送出に関する情報を表す項目から成る。
【００３５】
プレイリスト作成ブロック１１１において、外部、例えばオペレータの送出用操作ターミナル５の操作によってプレイリストが作成される。上述した、より上位のコンピュータシステムなどから送られたプレイリストは、プレイリスト受信ブロック１１２で受け取られる。また、このようにして作成された、あるいは受け取られたプレイリストは、プレイリスト記憶ブロック１１３に記憶され、プレイリスト管理ブロック１１０によって管理される。
【００３６】
送出制御ブロック１０９は、上述のプレイリストの指示に従ってＣＭ素材の送出の制御を行うブロックである。すなわち、この送出制御ブロック１０９およびＣＭ素材収録格納装置２との間で所定のコマンドのやり取りが行われることによって、プレイリストに記された内容に基づき、必要な素材を装置に収録されている多数の素材の中から捜し出し、プレイリストに指示された送出開始時刻になったらＣＭ素材を送出するといったような制御が行われる。
【００３７】
この制御コンピューターシステム１は、１台のコンピューターで構成されていてもよいし、複数のコンピュータで構成されていてもよい。複数のコンピュータで構成される場合、上述の制御コンピュータシステム１を構成するそれぞれのブロックが複数のコンピュータに適宜に配置され、コンピュータネットワークが制御バス１１６の一部として使用される。
【００３８】
このような構成のＣＭ送出システムにおいて、ＣＭ素材の収録作業は、収録作業担当オペレータによって収録用操作ターミナル４が操作され、外部より持ち込まれた大量のＣＭ素材がＣＭ素材再生機３によって順次再生され、その映像／音声信号がＣＭ素材収録格納装置２に取り込まれることによって行われる。また、ＣＭ素材の送出作業は、収録作業後、送出作業担当オペレータによって送出用操作ターミナル４が操作され、ＣＭ素材収納装置２に格納されているＣＭ素材がプレイリストに従って送出（放送）されることによって行われる。
【００３９】
次に、上述のＣＭ素材の収録作業の詳細について説明する。ＣＭ素材の収録作業の際、オペレータによって、ＣＭ素材を取り込むための作業リストである収録リストの準備が行われる。この収録リストは、オペレータの収録用操作ターミナル４の操作による収録リストの作成、あるいは、データ管理コンピューターなどの上位ホストコンピュータから送られた収録リストの受信によって制御コンピュータシステム１に供給される。
【００４０】
オペレータによる収録リスト作成の場合には、収録用操作ターミナル４が収録用操作ターミナル制御ブロック１０８に制御され、オペレータから収録用操作ターミナル４に入力された指示が収録リスト作成ブロック１０３に伝達される。この伝達された指示に従い、収録リスト作成ブロック１０３によって収録リストの作成処理が行われる。この作成された収録リストは、収録リスト管理ブロック１０２によって収録リスト記憶ブロック１０５に格納される。
【００４１】
また、上位コンピュータからの収録リストの受信の場合には、収録リスト受信ブロック１０４により、送られた収録リストの受信処理が行われる。この受信処理された収録リストは、収録リスト管理ブロック１０２によって収録リスト記憶ブロック１０５に格納される。
【００４２】
このようにして収録リストが制御コンピュータシステム１に取り込まれ収録リスト記憶ブロック１０５に格納されると、この格納された収録リストを用い、オペレータによりＣＭ素材の収録動作が行われる。その際、オペレータによって収録リスト管理ブロック１０２に対し、該当の収録リストの抽出が指示される。この指示に従い収録リスト管理ブロック１０２によって収録リスト記憶ブロック１０５から該当の収録リストの抽出が行われる。この抽出された収録リストに基づき、収録制御ブロック１０１によって収録制御が行われる。
【００４３】
そして、収録作業が完了すると、ＣＭ素材データベース管理ブロック１０６により、ＣＭ素材データベース記憶ブロック１０７にＣＭ素材の情報が格納される。また、それと共に、そのＣＭ素材の収録が完了したことが例えば所定のフラグの設定により格納される。
【００４４】
次に、上述のＣＭ素材の送出作業の詳細について説明する。ＣＭ素材の送出作業の際、オペレータによって、ＣＭ素材を送出するための作業リストであるプレイリストの準備が行われる。このプレイリストは、オペレータの送出用操作ターミナル５の操作によるプレイリストの作成、あるいは、データ管理コンピュータなどの上位ホストコンピュータから送られたプレイリストの受信によって制御コンピュータシステム１に供給される。
【００４５】
オペレータによるプレイリストの作成の場合には、送出用操作ターミナル５が送出用操作ターミナル制御ブロック１１５に制御され、オペレータから送出用操作ターミナル５に入力された指示がプレイリスト作成ブロック１１１に伝達される。この伝達された８指示に従い、プレイリスト作成ブロック１１１によってプレイリストの作成処理が行われる。この作成されたプレイリストは、プレイリスト管理ブロック１１０によってプレイリスト記憶ブロック１１３格納される。
【００４６】
また、上位コンピュータからのプレイリストの受信の場合には、プレイリスト受信ブロック１１２により、送られたプレイリストの受信処理が行われる。この受信され受信処理されたプレイリストは、プレイリスト管理ブロック１１０によってプレイリスト記憶ブロック１１３に格納される。
【００４７】
このようにしてプレイリストが制御コンピュータシステム１に取り込まれプレイリスト記憶ブロック１１０に格納されると、この格納されたプレイリストに対して、そのプレイリストで指定されたＣＭ素材が当システムに収録されているかどうかのチェックが行われる。これは、プレイリスト管理ブロック１１０からＣＭ素材データベース管理ブロック１０６に対して、該当のＣＭ素材が収録されＣＭ素材データベース記憶ブロック１０７に格納されているかどうかを問い合わせることにより行われる。
【００４８】
このチェックによって該当のＣＭ素材が当システムに収録されていることが確認されたら、プレイリストに基づいてＣＭ素材の送出動作が行われる。先ず、プレイリスト管理ブロック１１０によってプレイリスト記憶ブロック１１３から該当のプレイリストが抽出される。この抽出されたプレイリストに基づき、送出制御ブロック１０９によって送出制御が行われる。
【００４９】
このときの送出動作の指示は、オペレータによる送出用操作ターミナル５の操作により行われる。また、この送出動作の指示は、上位ホストコンピューターから送られた制御指示をホスト制御受信ブロック１１４で受信することによっても行うことができる。
【００５０】
ここで、この発明の主題を成す、上述した、プレイリストで指定されたＣＭ素材が当システムに収録されているかどうかのチェックの際の処理について説明する。図４は、このときの動作のフローチャートを示す。
【００５１】
先ず、最初のステップＳ２００において、オペレータによるプレイリスト作成操作、または、上位ホストコンピュータからのプレイリスト受信によってプレイリストの入力があったかどうかが判断される。このステップＳ２００は、プレイリストの入力があるまで繰り返される。
【００５２】
プレイリストの入力があったと判断されたら、処理は次のステップＳ２０１に移行する。このステップＳ２０１において、プレイリスト管理ブロック１１０によって、ＣＭ素材データベース管理ブロック１０６に対してプレイリストで指定された各ＣＭ素材が収録済みであるかどうかの問い合わせが行われる。
【００５３】
この問い合わせに対して、ＣＭ素材データベース管理ブロック１０６によって、プレイリスト管理ブロック１１０から問い合わせによって依頼された内容がＣＭ素材管理データベース記憶ブロック１０７に記録されているデータベース情報より取り出され、依頼の内容が確認される。
【００５４】
例えば、ステップＳ２００において入力されたプレイリストに、送出予定のＣＭ素材が５つ指定されていた場合、先ず、プレイリスト管理ブロック１１０から、プレイリストに指定されている１番目のＣＭ素材が収録されているかどうかの問い合わせがＣＭ素材データベース管理ブロック１０６に対して行われる。この問い合わせを受けたＣＭ素材データベース管理ブロック１０６によって、ＣＭ素材データベース記憶ブロック１０７に格納されているＣＭ素材情報が調べられ、該当するＣＭ素材が収録されているかどうかが結果として、プレイリスト管理ブロック１１０に報告される。
【００５５】
そして、次のステップＳ２０２において、この問い合わせに対してＣＭ素材データベース管理ブロック１０６から報告された結果に基づき、プレイリスト中の指定のＣＭ素材（この場合１番目のＣＭ素材）が収録済みであるかどうかがプレイリスト管理ブロック１１０で判断される。
若し、ステップＳ２０２において、指定のＣＭ素材が収録済であると判断されれば、ＣＭ素材がシステムに収録されているかどうかのチェックの際の処理は終了する。
【００５６】
一方、このステップＳ２０２において、指定のＣＭ素材が未収録であると判断されたら、処理はステップＳ２０３に移行する。ステップＳ２０３においては、プレイリスト管理部１１０が指定のＣＭ素材が未収録である旨と、そのＣＭ素材を識別するための情報、例えば該当のＣＭ素材のＩＤ、あるいはＣＭ素材名を収録用操作ターミナル制御ブロック１０８に通知する。そして、この通知を受けたこの収録用操作ターミナル制御ブロック１０８は、指定のＣＭ素材の未収録である旨およびその未収録ＣＭ素材の識別情報とを、図５に示すように、収録用操作ターミナル４に表示され、収録作業担当オペレータに対して通知が行われる。
【００５７】
また、このステップＳ２０３においては、同時に、プレイリストに対しても、指定のＣＭ素材を示す項に、未収録状態であることを示すマークが付加され（図６）、送出用操作ターミナル制御ブロック１１５に通知される。通知を受けた送出用操作ターミナル制御ブロック１１５の制御により、プレイリストが送出用操作ターミナル５に表示される。この際、未収録ＣＭ素材に対して未収録マークが表示され、送出作業担当オペレータに未収録のＣＭ素材があることが通知される。
【００５８】
次のステップＳ２０４で、プレイリスト管理ブロック１１０から収録リスト作成ブロック１０３に対して、未収録ＣＭ素材の収録リストを作成するよう、プレイリストの該当ＣＭの情報が添付され依頼が行われる。そして、この依頼を受け取った収録リスト作成ブロック１０３によって、依頼に基づき未収録ＣＭ素材用の収録リストが作成される（図７）。
【００５９】
この例においては、１番目の、すなわち最初の未収録ＣＭ素材に対するリストであるので、この未収録ＣＭ素材の収録リストは、新規作成となる。また、既にこのプレイリストに指定された他のＣＭ素材が未収録素材としてリストに存在している場合には、収録リストへの追加となる。
【００６０】
ステップＳ２０４において、プレイリストに指定された全てのＣＭ素材に対するチェックが終了していれば、この図４のフローチャートに示す一連の処理が終了する。
【００６１】
一方、ステップＳ２０４においてプレイリストに指定された全てのＣＭ素材に対するチェックが終了していなければ、処理はステップＳ２０１に戻り、プレイリストに指定された次のＣＭ素材に対するチェックが行われる。
【００６２】
【発明の効果】
以上説明したように、この発明によれば、プレイリストで指定されたＣＭ素材が未収録の場合に、自動的に収録作業担当オペレータにその旨通知されると共に、自動的に未収録のＣＭ素材の収録リストが作成される。従って、送出作業担当オペレータがＣＭ素材の収録状態の監視をする必要がなくなり、本来の送出業務に専念できる効果がある。
【００６３】
また、未収録のＣＭ素材が自動的に収録用操作ターミナルに表示されるため、送出作業担当オペレータが収録作業担当オペレータに直接連絡をとらなくても収録作業担当オペレータは、未収録のＣＭ素材に対する情報を得ることができる。そのため、連絡忘れや連絡ミスがなくなる効果がある。
【００６４】
さらに、未収録のＣＭ素材の収録リストが自動的に作成されるため、収録オペレータは、収録リストを手配する必要がなくなり、即座に収録作業を行うことができる効果がある。
【図面の簡単な説明】
【図１】この発明の実施の一形態におけるシステム構成の一例を示す略線図である。
【図２】収録用操作ターミナルに表示される収録リストの一例を示す略線図である。
【図３】送出用操作ターミナルに表示されるプレイリストの一例を示す略線図である。
【図４】プレイリストで指定されたＣＭ素材がシステムに収録されているかどうかのチェックの際の動作を示すフローチャートである。
【図５】収録用操作ターミナルに表示される未収録ＣＭ情報を含めた収録リストの一例を示す略線図である。
【図６】送出用操作ターミナルに表示された未収録状態を示すマークが付されたプレイリストの一例を示す略線図である。
【図７】収録用操作ターミナルに表示された未収録ＣＭ素材が自動的に追加された収録リストの一例を示す略線図である。
【図８】従来技術によるコマーシャル送出システムの構成の一例を示す図である。
【符号の説明】
１・・・制御コンピュータシステム、２・・・コマーシャル素材収録格納装置、４・・・収録用操作ターミナル、５・・・送出用操作ターミナル、１０２・・・録リスト管理ブロック、１０３・・・収録リスト作成ブロック、１０６・・・コマーシャル素材データベース管理ブロック、１０７・・・コマーシャル素材データベース記憶ブロック、１１０・・・プレイリスト管理ブロック、１１３・・・レイリスト記憶ブロック
【図１】
0003890640.tif 000002
【図２】
0003890640.tif 000003
【図３】
0003890640.tif 000004
【図４】
0003890640.tif 000005
【図５】
0003890640.tif 000006
【図６】
0003890640.tif 000007
【図７】
0003890640.tif 000008
【図８】
0003890640.tif 000009